(57)【要約】【課題】  入浴用のタオルは、身体の部分によって、使い分けて人もいる。これは、身体の部分によっては柔らかいタオルでないと皮膚を傷めたりするためである。しかし、柔らかいタオルと、硬いタオルの２種類を風呂場に持参するのは面倒であるばかりか、失念する場合もある。そこでこのような欠点を大きく解消したタオルを提供する。【解決手段】  本体を２つの部分に分割し、それぞれを固定具によって着脱自在に固着したものであって、該２つの部分はその柔軟性が異なるもの。【選択図】  図1
0003162800.tif 000002
【実用新案登録請求の範囲】
【請求項１】
本体を２つの部分に分割し、それぞれを固定具によって着脱自在に固着したものであって、該２つの部分はその柔軟性が異なるものであることを特徴とする浴用タオル。
【請求項２】
該２つの部分は、同じ材質であって、同じ織り方のものである請求項１記載の浴用タオル。
【請求項３】
該２つの部分の材質は、綿である請求項２記載の浴用タオル。
【請求項４】
該２つの部分の材質は、ナイロンである請求項２記載の浴用タオル。
【請求項５】
該２つの部分は、同じ織り方であって、材質が異なるものである請求項１記載の浴用タオル。
【請求項６】
該織り方は、ループ地である請求項５記載の浴用タオル。
【請求項７】
該織り方は、メッシュである請求項５記載の浴用タオル。
【請求項８】
該２つの部分は、同じ材質であって、織り方が異なるものである請求項１記載の浴用タオル。
【請求項９】
該材質は、綿である請求項８記載の浴用タオル。
【請求項１０】
該材質は、ナイロンである請求項８記載の浴用タオル。
【請求項１１】
該２つの部分は、織り方も材質も異なるものである請求項１記載の浴用タオル。
【請求項１２】
該２つの部分で、柔らかい方は面積が小さく、硬い方は面積が大きいものである請求項１、請求項５、請求項８、請求項１１のいずれか１項に記載の浴用タオル。
【請求項１３】
該２つの部分の色が異なるものである請求項１記載の浴用タオル。
【請求項１４】
該２つの部分の色は、柔らかい方の部分は暖色系であり、硬い方の部分は寒色系である請求項１３記載の浴用タオル。
【考案の詳細な説明】
【技術分野】
【０００１】
本考案はタオルに関するものである。
【背景技術】
【０００２】
ここでいうタオルは、手や身体を洗ったり、拭いたりする布状のものである。
通常、入浴時には身体の洗浄、水の拭き取りにタオル用いている。このタオルには多くの種類があり、材質的にはナイロン製や綿製、製法としてはループタイプやメッシュタイプ等がある。
【０００３】
これは、使用する人の好みもあるが、身体の部分によって、使い分けて人もいる。これは、身体の部分によっては柔らかいタオルでないと皮膚を傷めたりするためである。
【０００４】
しかし、柔らかいタオルと、硬いタオルの２種類を風呂場に持参するのは面倒であるばかりか、失念する場合もある。
【考案の概要】
【考案が解決しようとする課題】
【０００５】
そこで、このような欠点を大きく解消したタオルを提供する。
【課題を解決するための手段】
【０００６】
以上のような状況に鑑み、本考案者は鋭意研究の結果本考案タオルを完成したものであり、その特徴とするところは、本体を２つの部分に分割し、それぞれを固定具によって着脱自在に固着したものであって、該２つの部分はその柔軟性が異なる点にある。
【０００７】
本考案でいうタオルは、一般でいうタオル（ここではループ地という）だけでなく、身体を洗うために使用する布状のもの全般をいう。
例えば、ループ地、メッシュ、日本手ぬぐい等である。
ループ地とは、緯糸を織り込む際に、縦糸の一部（パイル糸）を緩めて布地にループ状の部分を形成したものである。
【０００８】
メッシュとは、目を荒く平織り、もじ網織等によって製造された網のようなもので、縦糸や緯糸（多数縒ったものが普通）が間隔を空けて存在するものであり、浴用のメッシュタオルとして市販されているもの等で十分である。日本手ぬぐいとは、平織りの手ぬぐいである。
【０００９】
本考案は本体を２つの部分に分割し、それを固定具で着脱自在に固着したことがポイントである。２つのそれぞれの部分は、通常のタオルのように構成しても、単なる布状でもよい。端部の処理の方法も自由である。
固着具は、バネホック（かしめて固着し、穴に突起を押し込むタイプのもの）、スナップ（糸で留めて穴に押し込むタイプ）、ボタンその他固定できるものであればどのようなものでもよい。材質は金属、プラスチック、木製その他どのようなものでもよい。使用するときに痛くないように小さいものが好適である。また、ボタン等は少し硬い布製のものや、布でカバーしたものがよい。
【００１０】
この固定具の数は自由であるが、２〜５程度が好適である。固定具の固着場所は、矩形の短い辺側の端部がよい。
【００１１】
この２つの部分は、柔軟性が異なることが前提である。ここでいう柔軟性は、身体に対する感じである。身体を擦ったときに感じる触感、皮膚に対する刺激の大きさ等で決めればよい。
身体の部分によって、肌の強さ等が異なるため、柔らかいものと硬いものを使い分けるのである。また、乳児や幼児用として柔らかいものを使用してもよい。即ち、使用法は自由である。
【００１２】
２つの部分は、柔軟性が異なれば、その材質や織り方は自由である。例えば、どちらも綿で、どちらもループ地でもよい。このように材質と織り方が同じ場合、柔軟性に差を持たせるためには、糸自体の太さ（撚る本数等）、撚る強さ等を変えて行なう。
【００１３】
また、２つの部分は織り方は同じで、材質を変えてもよい。例えば、一方はナイロン、麻、綿、ポリエステル、その他の材質にして、他方をこれと異なるものにすればよい。
柔軟性を変えるには、この材質を変えるのが簡単である。
このときの織り方はループ地、メッシュその他自由である。
【００１４】
次に材質は同じで、織り方を変えてもよい。例えば、一方をループ地、メッシュ、日本手ぬぐい等にして、他方をこれと異なるものにすればよい。同じ材質でも、ループ地とメッシュではその柔軟性がまったく異なる。
【００１５】
また、２つの部分は、材質も織り方も変えてもよい。例えば、一方がナイロンメッシュで、他方が綿のループ地である等である。
【００１６】
さらに、本考案では２つの部分の大きさ（面積）を替えてもよい。例えば、硬い方を身体全体用として大きくし、柔軟な方を特定の部位を洗うための小さいものとしてもよい。
【００１７】
使用方法としては、本考案タオルをいろいろな材質や織り方で作成しておけば、使用者が自由に組み合わせて使用することができる。例えば、どちらも身体を洗うためのものでなく、一方をバスタオルとして入浴前にはずして置いておくものでもよい。
【００１８】
本考案タオルのサイズは、自由であり限定するものではないが、一方を通常の浴用タオル程度にし、他方がそれより少し小さいか半分程度が好適である。
具体的には、大きい方が幅２０〜３０ｃｍで、長さが８０〜１２０ｃｍ程度であり、小さい方はそれより小さいということである。小さい方は大きい方と幅は同じである方がよい。
【００１９】
さらに、本考案の２つの部分は色を変えてもよい。特に、柔らかい方の部分を赤はピンクのような暖色系にし、硬い方の部分を寒色系にしてもよい。
【考案の効果】
【００２０】
本考案タオルには次のような効果がある。
（１）  １つのタオルを持っていくだけで２種の柔らかさのタオルが使用できる。
（２）  身体の部位によって柔らかいタオルと硬いタオルが使い分けられ、身体（皮膚）に負担をかけない。
（３）  一方を子供用にすると子供の皮膚を傷めない。
（４）  特に旅館やホテル、工事現場等では種々の使用方法が考えられ、非常に便利である。
（５）  多数の異なるタオルを準備しておけば、自由に組み合わせて使用できる。
【図面の簡単な説明】
【００２１】
【図１】本考案の１例を示す平面図である。
【図２】本考案の他の例を示す平面図である。
【考案を実施するための最良の形態】
【００２２】
以下実施の形態に基づいて、本考案をより詳細に説明する。
図１は、本考案
【００２３】
図１は、本考案タオル１の１例を示す平面図である。
この例では、柔らかい方の部分２は綿でループ地であり、硬い方の部分３はナイロンメッシュである。２つのスナップ４によって、固着されている。この例では、長手方向に２つの部分を繋いでいるため、柔らかい方の部分はどうしても小さくなる。この例のタオル１では、使用時にスナップ４を外し、洗う部位によってどちらかを選択すればよい。
【００２４】
図２は、本考案タオル１の他の例を示す平面図である。
この例でも柔らかい方の部分２は綿でループ地であり、硬い方の部分３はナイロンメッシュである。この例では、長手方向に平行にスナップ４で固着している。この場合には、どちらの部分も長くなっている。よって、どちらの部分も長い状態で使用できるので、背中等を洗うのに便利である。
【符号の説明】
【００２５】
１  本考案タオル
２  柔らかい方の部分
３  硬い方の部分
４  スナップ
【図１】
0003162800.tif 000003
【図２】
0003162800.tif 000004